【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
複数の発光ダイオードが直列に接続されている発光ダイオード点灯回路において、
前記複数の発光ダイオードの各々に対して各個に並列に接続され、正極側及び負極側の各々の端子に所定の融点を持つ導電物が設けられた補償素子を有し、
前記発光ダイオードに開放不良が発生した場合、該当発光ダイオードに並列に接続されている補償素子に設けられた前記導電物で両端子間が溶着される
発光ダイオード点灯回路。
【請求項２】
前記補償素子に設けられた導電物の融点は、前記補償素子を発光ダイオード点灯回路基板に固定する半田の融点より低い
請求項１に記載の発光ダイオード点灯回路。
【請求項３】
前記補償素子は、抵抗素子と、
該抵抗素子の両端に設けられた２つの端子と、
該２つの端子間に設けられた絶縁体を有し、
前記導電物は、前記２つの端子と前記絶縁体との接続部分もしくはその周辺に設けられ、前記抵抗素子の熱が前記絶縁物を介して伝達され、所定の温度に達すると溶融する
請求項１に記載の発光ダイオード点灯回路。
【請求項４】
前記補償素子は、両端に端子が形成され、該両端子に前記導電物が設けられた抵抗素子と、
両端に端子が形成され、該両端子に前記導電物が設けられた低抵抗導電体を有し、
前記抵抗素子と前記低抵抗導電体は、前記導電物からなる支柱によって所定間隔に支持され、前記抵抗素子の熱が前記支柱を介して前記低抵抗導電体に設けられた各導電物に伝達し、
前記支柱が所定の温度に達した場合、前記支柱が溶融するとともに、前記抵抗素子に設けられた各導電物、並びに前記低抵抗導電体に設けられた各導電物が溶融し、前記抵抗素子及び前記低抵抗導電体の対応する各端子が各導電体で溶着される
請求項１に記載の発光ダイオード点灯回路。
【請求項５】
前記補償素子は、両端に端子が形成され、一方の端子に第１補助端子、他方の端子に第２補助端子が設けられた抵抗素子と、
両端に端子が形成され、一方の端子に第３補助端子、他方の端子に第４補助端子が設けられた低抵抗導電体を有し、
前記抵抗素子の第２補助端子と前記低抵抗導電体の第４補助端子間が前記導電物からなる支柱で支持されるとともに、前記抵抗素子の第１補助端子と前記低抵抗導電体の第３補助端子間は所定間隔に保持されており、
前記支柱が所定の温度に達した場合、前記支柱が溶融し、前記抵抗素子の第１補助端子と前記低抵抗導電体の第３補助端子が接触するとともに、前記抵抗素子の第２補助端子と前記低抵抗導電体の第４補助端子間が前記導電体で溶着される
請求項１に記載の発光ダイオード点灯回路。
【請求項６】
前記補償素子は、一端に斜面部が形成され他端に第１端子が設けられた第１抵抗素子と、
一端に斜面部が形成され他端に第２端子が設けられた第２抵抗素子を有し、
前記第１抵抗素子と前記第２抵抗素子は各斜面部が対向するように配置されるとともに、前記各斜面部の上部に各々前記導電物が設けられており、
各導電物が所定の温度に達した場合、各導電物が溶融し、前記斜面部表面を滑落して前記第１抵抗素子の第１端子と前記第２抵抗素子の前記第２端子を溶着する
請求項１に記載の発光ダイオード点灯回路。
【請求項７】
前記補償素子は、抵抗素子と、
該抵抗素子の両端に設けられた第１及び第２の端子と、
前記第１の端子、前記抵抗素子及び前記第２の端子の一部と、一定の隙間を持って覆うように設けられた案内部を有し、
前記第１の端子の前記案内部付近に前記導電物が設けられており、
前記導電物が所定の温度に達した場合、各導電物が溶融し、前記溶融した導電物が前記第１の端子と前記案内部との隙間に流れ込み、毛管現象により前記隙間を移動して前記第２の端子まで到達し、前記第１の端子と前記第２の端子を溶着する
請求項１に記載の発光ダイオード点灯回路。
【請求項８】
前記補償素子は、外筐と、
両端に端子が形成された抵抗素子と、
両端に端子が形成された低抵抗導電体と、
前記低抵抗導電体を前記抵抗素子に支持する導電物から形成された支柱と、
前記抵抗素子に前記低抵抗導電体を押し付ける弾性部材を有し、
前記支柱が所定の温度に達した場合、前記支柱が溶融し、前記弾性部材の弾性力により前記抵抗素子と前記低抵抗導電体が接触し、前記抵抗素子の各端子とそれに対応する前記低抵抗導電体の各端子間が導通する
請求項１に記載の発光ダイオード点灯回路。
【請求項９】
前記弾性部材は、前記外筐と前記低抵抗導電体の間に設けられ、前記支柱が溶融する前は圧縮された状態である
請求項８に記載の発光ダイオード点灯回路。
【請求項１０】
前記弾性部材は、前記抵抗素子及び前記低抵抗導電体を挟み込んで押し付けるクリップ状の弾性部材である
請求項８に記載の発光ダイオード点灯回路。
【請求項１１】
複数の発光ダイオードが直列に接続されている発光ダイオード点灯回路において、
前記複数の発光ダイオードの各々に対して各個に並列に接続された補償素子を有し、
前記補償素子は、抵抗素子と、該抵抗素子の両端に設けられた２つの端子と、該２つの端子間に設けられた絶縁体と、該絶縁体の表面において前記２つの端子間に設けられた導電ペーストから構成され、
前記発光ダイオードに開放不良が発生した場合、前記抵抗素子の熱が前記絶縁物を介して前記導電ペーストに伝達され、前記導電ペーストが所定の温度に達すると両端子間が導通する
発光ダイオード点灯回路。
【請求項１２】
複数の発光ダイオードが直列に接続されている発光ダイオード点灯回路を備える照明装置において、
前記複数の発光ダイオードの各々に対して各個に並列接続され、正極側及び負極側の各々の端子に所定の融点を持つ導電物が設けられた補償素子を有し、
前記発光ダイオードに開放不良が発生した場合、該当発光ダイオードに並列に接続されている補償素子に設けられた前記導電物で両端子間が溶着される
照明装置。
【請求項１３】
複数の発光ダイオードが直列に接続されている発光ダイオード点灯回路を備える照明装置において、
前記複数の発光ダイオードの各々に対して各個に並列に接続された補償素子を有し、
前記補償素子は、抵抗素子と、該抵抗素子の両端に設けられた２つの端子と、該２つの端子間に設けられた絶縁体と、該絶縁体の表面において前記２つの端子間に設けられた導電ペーストから構成され、
前記発光ダイオードに開放不良が発生した場合、前記絶縁物を介して前記抵抗素子から伝達した熱により前記導電ペーストが所定の温度に達し、両端子間が導通する
照明装置。
【請求項１４】
複数の発光ダイオードが直列に接続されている発光ダイオード点灯回路を備えたバックライト装置により照明される液晶表示装置において、
前記複数の発光ダイオードの各々に対して各個に並列接続され、正極側及び負極側の各々の端子に所定の融点を持つ導電物が設けられた補償素子を有し、
前記発光ダイオードに開放不良が発生した場合、該当発光ダイオードに並列に接続されている補償素子に設けられた前記導電物で両端子間が溶着される
液晶表示装置。
【請求項１５】
複数の発光ダイオードが直列に接続されている発光ダイオード点灯回路を備えたバックライト装置により照明される液晶表示装置において、
前記複数の発光ダイオードの各々に対して各個に並列に接続された補償素子を有し、
前記補償素子は、抵抗素子と、該抵抗素子の両端に設けられた２つの端子と、該２つの端子間に設けられた絶縁体と、該絶縁体の表面において前記２つの端子間に設けられた導電ペーストから構成され、
前記発光ダイオードに開放不良が発生した場合、前記絶縁物を介して前記抵抗素子から伝達した熱により前記導電ペーストが所定の温度に達し、両端子間が導通する
液晶表示装置。
【手続補正２】
【補正対象書類名】明細書
【補正対象項目名】００１０
【補正方法】変更
【補正の内容】
【００１０】
上記課題を解決するため、本発明の発光ダイオード点灯回路の一側面は、直列に接続された複数の発光ダイオードの各々に対して各個に並列に接続され、正極側及び負極側の各々の端子に所定の融点を持つ導電物が設けられた補償素子を有し、発光ダイオードに開放不良が発生した場合、該当発光ダイオードに並列に接続されている補償素子に設けられた導電物で両端子間が溶着されることを特徴とする。
【手続補正３】
【補正対象書類名】明細書
【補正対象項目名】００１４
【補正方法】変更
【補正の内容】
【００１４】
本発明の照明装置の一側面は、複数の発光ダイオードが直列に接続されている発光ダイオード点灯回路を備える照明装置において、複数の発光ダイオードの各々に対して各個に並列接続され、正極側及び負極側の各々の端子に所定の融点を持つ導電物が設けられた補償素子を有し、発光ダイオードに開放不良が発生した場合、該当発光ダイオードに並列に接続されている補償素子に設けられた導電物で両端子間が溶着されることを特徴とする。
【手続補正４】
【補正対象書類名】明細書
【補正対象項目名】００１８
【補正方法】変更
【補正の内容】
【００１８】
本発明の液晶表示装置の一側面は、複数の発光ダイオードが直列に接続されている発光ダイオード点灯回路を備えたバックライト装置により照明される液晶表示装置において、複数の発光ダイオードの各々に対して各個に並列接続され、正極側及び負極側の各々の端子に所定の融点を持つ導電物が設けられた補償素子を有し、発光ダイオードに開放不良が発生した場合、該当発光ダイオードに並列に接続されている補償素子に設けられた導電物で両端子間が溶着されることを特徴とする。
【手続補正５】
【補正対象書類名】明細書
【補正対象項目名】００３３
【補正方法】変更
【補正の内容】
【００３３】
次に、各直列接続された発光ダイオードに対して定電流を流すための具体的な構成例を説明する。図６は、発光ダイオードの直列回路例を示すものである。図６において、複数の発光ダイオードが直列接続された発光ダイオード列５０のアノード側が抵抗素子（Ｒ）５を介してＤＣ−ＤＣコンバータ７の一端に接続され、また発光ダイオード列５０のカソード側が接地端子及びＤＣ−ＤＣコンバータ７の他端に接続されている。このＤＣ−ＤＣコンバータ７は、出力電圧Ｖｃｃの設定に対して抵抗素子５による電圧降下を検出して、直列接続された発光ダイオード列５０に所定の電流Ｉ１が流れるようにフィードバックループを構成している。図６に示した発光ダイオード列５０は、図５に示した６行のそれぞれにおけるＲＧＢのペアｇ１〜ｇ６の１列（ｍ１及びｍ２）に対応している。したがって本例では、同様の回路が、６行（ｇ１〜ｇ６）×３倍（ＲＧＢ）必要となる。
【手続補正６】
【補正対象書類名】明細書
【補正対象項目名】００３６
【補正方法】変更
【補正の内容】
【００３６】
図７Ａに示すように、直列接続された発光ダイオード５１〜５６に対し各個に並列に補償素子（保護素子）６１〜６６の各々を接続して保護回路を構成し、また電源７１及び定電流源７２を直列接続して、その電源７１の負極を直列接続された発光ダイオード群のカソード側に、一方定電流源７２の一端を直列接続された発光ダイオード群のアノード側に接続して本発明の発光ダイオード点灯回路を構成する。なお、直列接続する発光ダイオードの個数は一例であり、また、電源７１及び定電流源７２は、バックライト装置２０の電源回路を模式的に表したものであって、この例に限るものではないことは勿論である。
【手続補正７】
【補正対象書類名】明細書
【補正対象項目名】００４１
【補正方法】変更
【補正の内容】
【００４１】
発光ダイオード５３が不良によりオープン（開放）となった場合（図７Ｂ）（ステップＳ１）には、発光ダイオード５３が通常低電流で駆動されているためこの補償素子６３に５００ｍＡの電流が流れることになり、抵抗素子８６にジュール熱が発生し発熱する(ステップＳ２)。そして、その熱が絶縁体８５を介して低融点伝導体８３，８４に伝達する。補償素子６３の温度が端子８１，８２付近に設けた低融点導電体８３，８４の融点より高くなると（ステップＳ３）、その低融点導電体８３，８４が溶融し、両端子８１，８２が低融点導電体８３，８４で溶着(図９Ｂ，図１０Ｂ)されて短絡し、接続される（ステップＳ４）。そうすると、保護回路が動作（ステップＳ５）して、電流はその接続部（溶着部）を流れるようになるために発熱は停止し、発光ダイオード点灯回路はオープン不良となった発光ダイオード５３を回避して接続される（図７Ｃ）。これにより、不良になった発光ダイオードのみ不点灯になるが、その他の直列に接続された発光ダイオード５１，５２，５４〜５６は点灯し、バックライトとして使用可能な状態になる。
【手続補正８】
【補正対象書類名】明細書
【補正対象項目名】００５０
【補正方法】変更
【補正の内容】
【００５０】
このように構成される補償素子１１０において、発光ダイオードにオープンモード不良が発生した場合、抵抗素子９２に電流が流れて熱が発生する。そして、支柱１１３が所定の温度に達すると、支柱１１３が溶融し、抵抗素子９２の第１補助端子１１１と低抵抗導電体１００の第３補助端子１１４が直接接触するとともに、抵抗素子９２の第２補助端子１１２と低抵抗導電体１００の第４補助端子１１５間が導電体１１３で溶着される（図１２Ｂ）。その結果、各補助端子を介して、端子９３と端子１０１、端子９４と端子１０２がそれぞれ導通して、端子１０１，１０２の間に配置された低抵抗導電体１００に電流が流れ、補償素子１１０が短絡する。
【手続補正９】
【補正対象書類名】明細書
【補正対象項目名】００５４
【補正方法】変更
【補正の内容】
【００５４】
このように構成される補償素子１２０において、発光ダイオードにオープンモード不良が発生した場合、端子１２１，１２２から電流が供給され、抵抗素子１２３，１２４に電流が流れて熱が発生する。各導電物１２５，１２６が所定の温度に達したとき、各導電物１２５，１２６が溶融し、各々が斜面部表面を流れ落ちて（滑り落ちて）第１抵抗素子１２３の第１端子１２１と第２抵抗素子１２４の第２端子１２２を溶着する（図１３Ｂ）。その結果、導電物１２５，１２６を通じて端子１２１，１２２間に電流が流れ、補償素子１２０が短絡する。各導電物１２５，１２６のいずれかの側で導通すればよい。
【手続補正１０】
【補正対象書類名】明細書
【補正対象項目名】００６２
【補正方法】変更
【補正の内容】
【００６２】
導体ペースト１４１については、様々な種類が市販されており、動作温度等の条件を考慮して適宜選択し得る。一例としては、導電物質のフィラーとバインダーと呼ばれる物質が混在する導体ペーストは、所定の温度になると、バインダーが凝縮してフィラー同士が接触することにより導通する。
【手続補正１１】
【補正対象書類名】明細書
【補正対象項目名】００７２
【補正方法】変更
【補正の内容】
【００７２】
なお、上述した各実施形態は、直列接続した発光ダイオード複数個に対して、保護素子１個を並列接続してもよい。発光ダイオード１個毎に対してではなく、発光ダイオードの混色の問題がないレベルで複数個に対して並列に補償素子を構成することでも対応が可能である。このようにすることにより、一つの発光ダイオード点灯回路に必要となる補償素子の数を削減することができる。